(57)【要約】【課題】集約印刷で、印刷結果を確認後、可読性の低いと判断したページや章の縮小率を個別に変える操作は、複雑で手間がかかっていた。【解決手段】入力された画像データを、該画像データを識別する識別情報に関連付けて記憶し、識別情報を画像データに付加した仮印刷データを出力する。入力された画像データから加工指示内容が認識された場合、記憶手段に記憶された中からその画像データに含まれる識別情報により特定される画像データに該認識された加工を行い、集約印刷される集約印刷データを生成する。【選択図】図７
2009303035.tif 000002
【特許請求の範囲】
【請求項１】
複数の頁原稿を１枚の紙に集約して印刷する集約印刷機能を実現させる画像処理装置であって、
入力された画像データを、該画像データを識別する識別情報に関連付けて記憶する記憶手段と、
前記識別情報を前記画像データに付加した仮印刷データを出力する仮印刷データ出力手段と、
入力された画像データから加工指示内容を認識する加工指示認識手段と、
入力された画像データから前記加工指示認識手段により加工指示内容が認識された場合、前記記憶手段に記憶された中から該画像データに含まれる識別情報により特定される画像データに該認識された加工を行い、集約印刷される集約印刷データを生成する集約印刷データ生成手段と、
を備えたことを特徴とする画像処理装置。
【請求項２】
前記加工指示認識手段は、
加工指示内容に記号を対応付けた対応テーブルを備え、
前記対応テーブルに含まれる記号が前記画像読取手段で読み取られた画像データに存在する場合、該画像データから該記号を認識し、前記対応テーブルで該認識された記号に対応付けられた加工指示内容を認識することを特徴とする請求項１記載の画像処理装置。
【請求項３】
前記加工指示認識手段は、予め定められたマークシートを用いた入力内容から加工指示内容を認識することを特徴とする請求項１または２記載の画像処理装置。
【請求項４】
前記仮印刷データ出力手段は、前記識別情報を地紋として画像データに付加することを特徴とする請求項１から３の何れか１項に記載の画像処理装置。
【請求項５】
画像データを読み取る画像読取手段を備え、
前記入力された画像データは、前記画像読取手段により読み取られることで入力された画像データであり、
前記画像処理装置は、
前記画像読取手段が前記仮印刷データの印刷された紙をスキャンし、該仮印刷データが複数頁からなる場合、該複数頁のスキャン完了前に、該仮印刷データに対する集約印刷データの出力を実行させる指示入力を受ける省略指示入力手段を備えたことを特徴とする請求項１から４の何れか１項に記載の画像処理装置。
【請求項６】
複数の頁原稿を１枚の紙に集約して印刷する集約印刷機能を実現させる画像処理装置の制御方法であって、
入力された画像データを、該画像データを識別する識別情報に関連付けて記憶する記憶工程と、
前記識別情報を前記画像データに付加した仮印刷データを出力する仮印刷データ出力工程と、
入力された画像データから加工指示内容を認識する加工指示認識工程と、
入力された画像データから前記加工指示認識工程により加工指示内容が認識された場合、前記記憶工程で記憶された中から該画像データに含まれる識別情報により特定される画像データに該認識された加工を行い、集約印刷される集約印刷データを生成する集約印刷データ生成工程と、
を備えたことを特徴とする制御方法。
【請求項７】
前記加工指示認識工程では、加工指示内容に記号を対応付けた対応テーブルを用い、前記対応テーブルに含まれる記号が前記画像読取工程で読み取られた画像データに存在する場合、該画像データから該記号を認識し、前記対応テーブルで該認識された記号に対応付けられた加工指示内容を認識することを特徴とする請求項６記載の制御方法。
【請求項８】
前記加工指示認識工程では、予め定められたマークシートを用いた入力内容から加工指示内容を認識することを特徴とする請求項６または７記載の制御方法。
【請求項９】
前記仮印刷データ出力工程では、前記識別情報を地紋として画像データに付加することを特徴とする請求項６から８の何れか１項に記載の制御方法。
【請求項１０】
前記入力された画像データは、画像データを読み取る画像読取手段により読み取られることで入力された画像データであり、
前記画像読取手段が前記仮印刷データの印刷された紙をスキャンし、該仮印刷データが複数頁からなる場合、該複数頁のスキャン完了前に該仮印刷データに対する集約印刷データの出力を実行させる指示入力を受けると、該複数頁のスキャン完了前に前記集約印刷データ生成工程による集約印刷データの生成を行うことを特徴とする請求項６から９の何れか１項に記載の制御方法。
【発明の詳細な説明】
【技術分野】
【０００１】
本発明は、例えばＭＦＰ（multi function printer）、コピー機、プリンタなど、複数のページの原稿を１枚の用紙に印刷する集約印刷機能を備えた画像処理装置および制御方法に関する。
【背景技術】
【０００２】
近年、環境負荷低減要求が高まる中、オフィス機器の省資源化も重要な課題となっている。また、プリンタや複写機の印刷枚数を減らすことができれば、紙、トナーの使用量を低減することができる。
このように、配付資料等のドキュメントの印刷頁数を減らさずに印刷枚数を減らすものとして、集約印刷機能がある。
【０００３】
また、本発明の関連技術として、印刷対象データ内の特定の書体の文字を選択し、選択された文字を変換して印刷データを生成するようにしたものがある（例えば、特許文献１参照）。
【０００４】
また、本発明の関連技術として、集約印刷を行う場合、入力画像データを記憶装置に保存し、出力結果に識別情報を付加するようにしたものがある。このことにより、集約印刷された印刷物から、印刷前に保存した入力画像を呼び出して印刷しなおすことができるようにしている（例えば、特許文献２参照）。
【特許文献１】特開２００７−２３３５９２号公報
【特許文献２】特開２００６−２９５２８１号公報
【発明の開示】
【発明が解決しようとする課題】
【０００５】
しかしながら、上述した集約印刷機能は、利便性の低さから使用率が低いのが実状である。集約印刷機能の使い勝手については、以下の課題があった。
（Ａ）  印刷結果の可読性は出力機器のエンジンの性能に依存するため、ＰＣ（personal computer）や表示機器のプレビューでは判断できない／しにくい。
（Ｂ）  印刷結果を確認後、可読性の低いと判断したページや章の縮小率を個別に変える操作は、複雑で手間がかかる。
【０００６】
具体的には、プリンタの場合は、ＰＣまで戻ってページ設定を変更し、再度印刷指示する必要がある。コピー機の場合は、操作パネルから特定の頁を等倍で印刷して印刷物を差し替える、などの手間が必要がある。
【０００７】
また、上述した特許文献１のものでは、書体が変更されるため、文書の体裁やデザインが変更されてしまっていた。すなわち、文書の体裁やデザインを保持して文書の可読性を向上させることについてまで考慮されたものではなかった。
【０００８】
また、上述した特許文献２のものは、可読性が悪い印刷物を得たときに、記憶装置に保存されたデータを用いて、元の印刷画像の大きさで印刷しなおすようにするものであり、可読性を向上させた集約印刷物が得られるものではなかった。すなわち、集約印刷機能における可読性の向上、利便性の向上についてまで考慮されたものではなかった。
【０００９】
本発明はこのような状況に鑑みてなされたものであり、複雑な操作入力を必要とせず、簡単な手間で、可読性に優れた集約印刷物を得ることができる画像処理装置および制御方法を提供することを目的とする。
【課題を解決するための手段】
【００１０】
かかる目的を達成するために、本発明に係る画像処理装置は、複数の頁原稿を１枚の紙に集約して印刷する集約印刷機能を実現させる画像処理装置であって、入力された画像データを、該画像データを識別する識別情報に関連付けて記憶する記憶手段と、上記識別情報を上記画像データに付加した仮印刷データを出力する仮印刷データ出力手段と、入力された画像データから加工指示内容を認識する加工指示認識手段と、入力された画像データから上記加工指示認識手段により加工指示内容が認識された場合、上記記憶手段に記憶された中から該画像データに含まれる識別情報により特定される画像データに該認識された加工を行い、集約印刷される集約印刷データを生成する集約印刷データ生成手段と、を備えたことを特徴とする。
【００１１】
また、本発明に係る制御方法は、複数の頁原稿を１枚の紙に集約して印刷する集約印刷機能を実現させる画像処理装置の制御方法であって、入力された画像データを、該画像データを識別する識別情報に関連付けて記憶する記憶工程と、上記識別情報を上記画像データに付加した仮印刷データを出力する仮印刷データ出力工程と、入力された画像データから加工指示内容を認識する加工指示認識工程と、入力された画像データから上記加工指示認識工程により加工指示内容が認識された場合、上記記憶工程で記憶された中から該画像データに含まれる識別情報により特定される画像データに該認識された加工を行い、集約印刷される集約印刷データを生成する集約印刷データ生成工程と、を備えたことを特徴とする。
【発明の効果】
【００１２】
以上のように、本発明によれば、複雑な操作入力を必要とせず、簡単な手間で、可読性に優れた集約印刷物を得ることができる。
【発明を実施するための最良の形態】
【００１３】
次に、本発明に係る画像処理装置および制御方法を、例えばＭＦＰ、コピー機、プリンタなどの画像形成装置に適用した一実施形態について、図面を用いて詳細に説明する。
【００１４】
本実施形態としてのＭＦＰのメインコントローラ１００周りの構成を図１に示す。
コントローラ１００は、ＣＰＵ１０１、ＲＡＭ１０３と共に装置全体の制御を行う制御部１０２を備える。
【００１５】
制御部１０２は、ＣＰＵ  Ｉ／Ｆ（インタフェース）、ＲＡＭアクセスの調停や画像処理などの機能を有する。
ＲＡＭ１０３は、メインメモリであり、画像や圧縮後の符号を格納するための一次記憶装置である。実行プログラム等も格納する。
【００１６】
ネットワークＩ／Ｆ１０４は、装置外部のホストＰＣ１１０から入力されるプリンタ画像情報を、制御部１０２を介してＲＡＭ１０３に転送する。
入力制御部１０５は、スキャナ（画像読取手段）１１１からのコピー画像情報を、制御部１０２を介してＲＡＭ１０３に転送する。
出力制御部１０６は、ＣＰＵ１０１と制御部１０２によって加工された出力画像情報をプロッタ１１２に転送する。
【００１７】
ＨＤＤ  Ｉ／Ｆ１０７は、ＨＤＤ（hard disk drive）１１３のデータを入出力する。データは制御部１０２を通してＲＡＭ１０３に読み書きされる。
操作部Ｉ／Ｆ１０８は、操作部（操作パネル）１１４とのデータ送受信を行う。
【００１８】
ＲＯＭ１０９は、ＣＰＵ１０１が実行するためのプログラムなどを格納する。
ホストＰＣ１１０は、プリントデータの出力、スキャナデータの入力をユーザが行うのに用いられる。
【００１９】
スキャナ１１１は、用紙に印刷された画情報を読み取る。
プロッタ１１２は、用紙に印刷処理を行う。
ＨＤＤ１１３は、画像を格納するための二次記憶装置である。
操作部１１４は、ユーザからの操作入力を受ける。
【００２０】
次に、本実施形態としてのＭＦＰの動作について説明する。
まず、一般的なプリンタ動作と共通する基本のプリンタ動作のデータ処理フローについて説明する。
【００２１】
ホストＰＣから送られてくるＰＤＬ（プリンタ記述言語）が、ネットワークＩ／Ｆ１０４、制御部１０２を介してＲＡＭ１０３に転送される。そして、ＲＡＭ１０３に格納されたＰＤＬをＣＰＵ１０１が画像に展開し、ＲＡＭ１０３に格納する。
次に、ＣＰＵ１０１は、制御部１０２内の画像処理機能を使いながら、出力する画像を形成し、ＲＡＭ１０３に格納する。例えば、複数の画像を縮小して一枚の紙に印刷する“集約印刷”の処理もここで行われる。
【００２２】
ＲＡＭ１０３に格納された出力データは、出力制御部を介してプロッタ１１２に転送される。形成した画像を再利用するために機器内に保存する際には、一般にＨＤＤ１１３に格納される。
【００２３】
次に、一般的なコピー動作と共通する基本のコピー動作のデータ処理フローについて説明する。
スキャナ１１１から送られてくる画像データが入力制御部１０５、制御部１０２を介してＲＡＭ１０３に転送される。そして、ＲＡＭ１０３に格納された入力画像データを、ＣＰＵ１０１は、制御部１０２内の画像処理機能を使いながら、出力する画像を形成し、再度ＲＡＭ１０３に格納する。例えば、複数の画像を縮小して一枚の紙に印刷する“集約印刷”の処理もここで行われる。
【００２４】
次に、ＲＡＭ１０３に格納された出力データは、出力制御部１０６を介してプロッタ１１２に転送される。形成した画像を再利用するために機器内に保存する際には、一般にＨＤＤ１１３に格納される。
【００２５】
次に、本実施形態による集約印刷機能に関する動作について説明する。
まず、集約印刷結果を目視確認できるようにするための仮印刷のフローについて、図２を参照して説明する。
【００２６】
○  印刷指示入力（ステップＳ１）：
この印刷指示入力は、ホストＰＣ１１０から印刷指示が入力されることであってもよい。また、本実施形態としての画像形成装置がプリンタである場合、ＰＣから印刷を指示されることであってもよい。また、本実施形態としての画像形成装置がコピー機であれば、原稿がスキャナ１１１のＡＤＦ（自動原稿送り装置）にセットされてスタートボタンが押下されることであってもよい。
【００２７】
この印刷指示入力では、集約の確認のための仮印刷をする／しないを予め設定する。
本実施形態としての画像形成装置がプリンタである場合は、プリンタドライバの指示で行う方法であってもよい。本実施形態としての画像形成装置がコピー機である場合は、スタートキー押下前に、操作部１１４として設けられた専用ボタンからユーザが指示入力する方法であってもよい。
【００２８】
このステップＳ１での設定で仮印刷出力を行わない場合は、集約印刷であっても仮印刷せず通常の印刷を行うこととなる。集約印刷しない場合でも、この設定で仮印刷を行った場合は、仮印刷を行う。
また、等倍印刷結果を仮印刷で得て、以後説明する加工指示を伴う本印刷により集約印刷物を得ることもできる。
【００２９】
○  入力データを記憶装置に保存（ステップＳ２）：
ここでいう入力データとは、本実施形態としての画像形成装置がプリンタであれば、ホストＰＣにより描画後の画像データなどを指す。本実施形態としての画像形成装置がコピー機であれば、スキャンした画像データなどを指す。
集約印刷する場合は、これら入力データにさらに、縮小、位置調整などしてから画像を形成する必要があるが、これを出力データと呼び区別する。
【００３０】
コントローラ１００は、この入力データをＨＤＤ１１３に格納する。入力データは圧縮して格納しても良い。一般の印刷ではこのフェーズは無い。
データの入力が出力よりも速い場合、ＲＡＭ１０３が溢れるのを避けるためＨＤＤ１１３に退避する構成であってもよいが、この場合は出力が完了するとデータは消去される。
【００３１】
○  出力データに識別情報付加（ステップＳ３）：
出力データに識別情報を付加する。
識別情報とは、スキャンされた入力データをページ毎に識別できるようにするための情報である。すなわち、ＨＤＤ１１３などの記憶装置に記憶される画像データを個々に識別できるようにするため、画像データと１対１に対応付けられた情報である。例えば、機器内で管理されるシリアル番号であっても良いし、印刷者ＩＤ、日付、ジョブＩＤなどを組み合わせた記号などであってもよい。
【００３２】
識別情報の付加方法には、例えば地紋を用いる方法がある。地紋とは、主要な文字や模様等の印刷の下に刷られた淡色の下地模様のことである。
主要な文字や模様が確認できるような限度内で、その粗密や色、濃度等を工夫して、各種の彩紋や小紋等を網点、万線、砂目等で地紋を構成し、出力データと重ねて印刷する。
他の方法として、バーコードやＱＲコードをページのヘッダやフッターの位置に付加してもよい。
【００３３】
同時に、この識別情報と前ステップの蓄積した入力データとを対応させるテーブルを作成し保存する。テーブル例を図３に示す。
この図３の例では、識別情報は“年／月／日／シリアル番号（４桁）”の構成としている。印刷原稿の頁単位の蓄積画像毎に識別情報が対応付けられて付与される。この識別情報は、仮印刷する原稿画像データに“地紋”や“バーコード”などの方法で付加され、仮印刷データとして生成されて印刷される。
【００３４】
上述のように、識別情報は、この識別情報を与えることにより一意に画像データが特定できるものであれば図３のものに限定されず、各種のものであってよい。
【００３５】
○  印刷（ステップＳ４）：
複数の画像を縮小して一枚の紙に印刷する“集約”などを行い、仮印刷データとなる画像を生成し、プロッタ１１２が用紙に出力する。
【００３６】
次に、仮印刷から本印刷への動作について説明する。
“仮印刷”結果をユーザが目視チェックして指示を書き込む作業を図４に、本実施形態としてのＭＦＰが指示入力を受けて“本印刷”する時のフローを図５に、それぞれ示す。
【００３７】
○  用紙の仮出力結果を目視チェック
集約印刷で文字が読めるかなど、期待どおりの印刷結果が得られたかを、ユーザが目で確認する。
【００３８】
○  加工必要？
例１：集約印刷で文字が読めない場合は、その頁のみ集約印刷しない。
例２：集約印刷で余白頁のために用紙を一枚無駄に使用してしまう場合、対象頁を削除する。
こうした集約印刷についてのデータ加工が必要か否かをユーザが判断する。
【００３９】
○  出力結果（紙）に加工方法指示の書き込み
加工が必要と判断される場合、仮印刷の出力結果である用紙にユーザが直接記入することで、加工方法を指示する。
例１：予め頁毎に印刷されたマークシートの所定の位置をマークする。
例２：加工内容に応じて予め定められたパターンを用紙に手書きで入力する。
【００４０】
○  部数、ソート方法設定（ステップＳ１１）
“本印刷”のための設定をユーザが操作パネルから入力する。例えば、配布資料用途の場合に、配布する部数を印刷部数として指定入力する。
ここで改めて部数やソート方法を指定する例を示しているが、仮印刷の際に指定した設定で印刷する場合はこのステップを省略できる。その場合は、例えば複数部印刷をしていても、仮印刷の際には１部のみ出力してＭＦＰは待機する。
【００４１】
○  仮出力結果（紙）をスキャン開始（ステップＳ１２）
仮出力で得た印刷結果を、ユーザがＭＦＰのＡＤＦにセットし、操作部１１４のスタートキーを押下する。
【００４２】
○  先頭頁スキャン完了（ステップＳ１３）
ＭＦＰは、地紋などにより指示情報が付与された画像がスキャンされた場合、この先頭頁スキャン完了によりその指示情報の存在を検知する。
先頭頁のスキャンが完了した時点で、操作パネルに『残りの用紙のスキャンをスキップする場合は、このボタンを押してください』など操作説明表示することでユーザ操作を誘導し、加工指示の無い原稿までスキャンする時間を省けるようにする。こうして操作パネルに操作説明を表示している間は、スキャン停止しても良いし、残りの原稿をスキャンし続けていても良い。
【００４３】
スキャン対象原稿が一枚の時はこのフローは省略する。
ＭＦＰは、指示情報が付与されていない画像がスキャンされた場合は、従来のフローに従い通常の印刷を行う。
【００４４】
○  残りの用紙のスキャンをスキップする？（ステップＳ１４）
操作パネルにより「スキップする」が選択されない場合、全ての原稿をスキャンする。
「スキップする」が選択された場合、全ての原稿をスキャンする前に、ステップＳ１６の「保存データを読み出し」へ移行する。
【００４５】
○  全用紙スキャン完了？（ステップＳ１５）
全ての原稿のスキャン完了を待つ。完了したら次ステップへ移行する。
【００４６】
○  保存データを読み出し（ステップＳ１６）
スキャン完了後、コントローラ１００は対応する保存データをＨＤＤ１１３などの記憶装置から読み出し、ＲＡＭ１０３に転送する。なお、全原稿のスキャン完了後に読み出す例を示したが、ページ毎のスキャン完了時点で読み出しても良い。
【００４７】
○  加工指示がある頁は、識別情報から保存データを特定し、指示に従った加工を行う（ステップＳ１７）
例えば、手書き入力で加工方法を指示する形態の場合、スキャンした画像と保存データを比較し、手書き部分の画像情報を抽出する。さらに、手書き入力のパターンを、予め定義した記号や図形パターンと照合し、指示を決定する。
手書き入力される記号と加工指示内容との対応テーブルの例を図６に示す。
【００４８】
次に、手書き入力されている加工指示に従い、画像データ加工を行う。
例えば、集約印刷で特定の頁だけ集約印刷の対象としない指示があった場合は、その指示が書き込まれている原稿の識別情報から頁番号を特定する。そしてその特定された頁番号の原稿を等倍とし、それ以降のページの頁割り付けを変更するようデータ加工を行い、集約印刷データを生成する。
【００４９】
○  印刷（ステップＳ１８）
加工された集約印刷データを、指定された部数、ソート方法に従って印刷する。
【００５０】
次に、上述した実施形態で、加工指示を“手書き入力”で行う場合の具体例について、図７、図８の例を参照して説明する。
【００５１】
図７は、原稿が５頁あり、両面なしの２ｉｎ１集約（２頁を１頁に集約）を行う例を示す。
まず、仮印刷では３枚の出力（紙）が得られる。
印刷結果をユーザが目視チェックした結果、頁３だけ字がつぶれて読めなかったので、頁３の紙面に手書きで“↑”を記入したとする。図７の例では、図６の対応テーブル例に示されるように、“↑”は１ランク拡大を示す。
【００５２】
この“↑”記号の手書き入力に基づいて、コントローラ１００が上述のように１ランク拡大の画像データ加工を行うことで、図７に示されるような３枚の本印刷結果が得られることとなる。
【００５３】
図８も、図７と同様に原稿が５頁あり、両面なしの２ｉｎ１集約（２頁を１頁に集約）を行う例を示す。
印刷結果をユーザが目視チェックした結果、頁４が余白、または、字が潰れて読めないけれど重要でないので不要、と判断し、頁３の紙面に手書きで“×”を記入したとする。図７の例では、図６の対応テーブル例に示されるように、“×”は頁削除を示す。
【００５４】
この“×”記号の手書き入力に基づいて、コントローラ１００が上述のように頁削除して以降のページデータをずらす画像データ加工を行うことで、図８に示されるような２枚の本印刷結果が得られることとなる。
【００５５】
ユーザが手書き入力での加工指示に用いる記号は、上述した図７、図８に例示するものに限定されず、図６の対応テーブルに示すものなど、予め加工内容との対応が定められたものであれば各種の記号を用いてよい。
指示内容の例として、１ランク縮小、原寸大に拡大して印刷、などの指示が考えられる。
【００５６】
手書き入力された記号（図形パターン）は、元原稿（仮印刷時に保存したデータ）との差分で判別する。この記号の判別は一般のＯＣＲ技術を応用できる。記号の記入場所はページ余白が考えられるが、前面黒の原稿や、汚したくない原稿では、記号を書いた付箋を貼ることで対応する構成としてもよい。
【００５７】
以上のように、本実施形態では、仮印刷物紙面上に与える加工指示方法を、予め定義された記号、又は図形情報の“手書き入力”とすることができる。
このため、簡便な方法で集約結果の補正ができ、集約印刷機能の利便性を高めることができる。
【００５８】
次に、上述した実施形態で、ユーザによる手書き入力での加工指示を“マークシート”で行う場合について、図９の例を参照して説明する。
【００５９】
図９に示す例では、仮印刷時にページ毎の余白にマークシートを印刷する。
マークシートの選択肢として、
・  等倍
・  拡大
・  縮小
・  削除
・  追加
・  以降の頁に加工指示無し
などが一例として考えられる。
【００６０】
仮印刷の印刷結果をユーザが目視チェックし、加工指示の手書き入力に基づいてコントローラ１００が画像データ加工を行い、本印刷結果を得る一連の動作は、上述した図７、図８の例と同様であってよい。スキャンされた画像データからマークシートへの入力内容を検知する方法は、一般の検知技術を用いることができる。
【００６１】
以上のように、本実施形態では、仮印刷物紙面上に与える加工指示方法を、その印刷物に印刷された“マークシートへの記入”とすることができる。
このため、簡便な方法で集約結果の補正ができ、集約印刷機能の利便性を高めることができる。
【００６２】
また、上述した実施形態では、加工情報が記入された原稿がスキャン指示されたとき、かつ、その原稿が複数ページあるとき、ユーザの指示入力により、全てのページがスキャンされる前に残りのページを印刷することができる。
【００６３】
図５のフローチャートを用いた上述の説明では、操作パネルにスキップボタンを表示する例を示したが、例えば以下の方法であってもよい。
・  専用にスキップボタンを設ける。
・  仮印刷物のスキャン不要先頭ページに、「以降の頁に加工指示なし」の記号を手書き入力する。図６の例では、スキャン不要の先頭ページに“▽”をユーザが手書き入力する。
・  仮印刷物のスキャン不要先頭ページのマークシートに、「以降の頁に加工指示なし」の選択肢を塗りつぶし、手書き入力する。
【００６４】
以上のように、本実施形態では、仮印刷原稿がスキャンされたとき、かつ、その原稿が複数ページあるとき、全てのページをスキャンする前に残りのページを印刷可能とすることができる。
このため、加工指示がない場合には手早く本印刷を実施でき、加工指示が記入されていないページをスキャンするための時間を削減することができる。
さらに、簡便な方法で指示入力ができるため、不要なスキャンのために時間をとられることなく、集約印刷機能の利便性を高めることができる。
【００６５】
また、以上のように、本実施形態の画像処理装置は、複数の頁原稿を１枚の紙に集約して印刷する機能を有する画像処理装置であって、以下の機能を備える。
・  印刷前に、入力された画像データを記憶装置に保存する。
・  保存するデータには、文書頁毎に識別情報を付与し、文書頁と対応付けて保存する。
・  印刷物には、文書頁毎に印刷画像とともに識別情報を印刷する（＝仮印刷）。
・  印刷物をスキャンすることで、ユーザによって印刷物紙面上に記入された加工指示を判別する。
・  識別情報から対象頁を特定しつつ、対応する加工指示に従って新たに画像形成を行う（＝本印刷）。
【００６６】
このように、本実施形態によれば、集約された印刷物を目視確認し、可読性や体裁が向上するように速やかにページ設定を変更し、再印刷することができる。
このため、本実施形態としての画像形成装置がプリンタ印刷の場合は、ＰＣに戻る必要がない。本実施形態としての画像形成装置が複写機の場合は、操作パネルからの入力の手間がない。このように、本実施形態によれば、集約印刷機能の利便性を高めることができる。
【００６７】
また、本実施形態は、文書のフォントやデザインを変更するのでなく、上述のように頁単位で縮小率を変更することができる。このため、文書のデザインや体裁を変更する必要なく、文書の可読性を向上させることができる。
【００６８】
また、本実施形態は、集約印刷を行った結果として可読性が悪い部分が存在する場合に備え、上述のように、以下のような特徴を備える。
・  可読性の悪い出力結果の特定と加工方法の指示を、出力結果（紙）にユーザが手書き入力で行う。
・  加工指示が手書き入力された仮印刷物をスキャンすることで、ユーザによる指示内容を識別し、画像データ加工を行う。
・  加工内容は等倍印刷のみならず、集約印刷における以降の文書のページ割り付けの変更なども行う。
【００６９】
このように、本実施形態では、対象頁の加工（拡大・削除等）に加え、集約印刷における印刷物全体の体裁を整えることまで行う。このため、集約印刷における印刷物の目視確認から再印刷までの手間を簡便化することができる。
【００７０】
また、本実施形態では、仮印刷物に印刷する識別情報を“地紋”とすることができる。
このため、仮印刷物のデザインへの影響を軽減することができる。また、仮印刷物に余白が無くても、識別情報を付与することができる。また、画像形成装置としての既存の機能（セキュリティ用途）を利用して、識別情報を付与することができる。
【００７１】
なお、上述した実施形態は本発明の好適な実施形態であり、本発明はこれに限定されることなく、本発明の技術的思想に基づいて種々変形して実施することが可能である。
例えば、上述した実施形態では、ＭＦＰ、プリンタ、複写機、スキャナなどの画像形成装置として説明したが、このものに限定されず、各種の画像処理装置であってもよい。
また、複写機、プリンター、スキャナ、ＰＣなどで構成された画像処理システムにも本発明は同様に適用することができる。
【００７２】
また、上述した実施形態としての画像処理装置を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等を用いてよい。
【００７３】
この本発明に係るプログラムによれば、当該プログラムによって制御される画像処理装置に、上述した実施形態における各機能を実現させることができる。
【図面の簡単な説明】
【００７４】
【図１】本発明の実施形態としてのＭＦＰのメインコントローラ１００周りの構成例を示すブロック図である。
【図２】仮印刷のための一連の動作を示すフローチャートである。
【図３】識別情報と入力データとを対応させるテーブル例を示す図である。
【図４】仮印刷結果をユーザが目視チェックして指示を書き込む作業を示すフローチャートである。
【図５】本実施形態としてのＭＦＰが指示入力を受けて本印刷するための動作を示すフローチャートである。
【図６】手書き入力される記号と加工指示内容との対応テーブル例を示す図である。
【図７】１ランク拡大の加工指示を手書き入力で行う場合の例を示す図である。
【図８】頁削除の加工指示を手書き入力で行う場合の例を示す図である。
【図９】加工指示をマークシートを用いて行う場合の例を示す図である。
【符号の説明】
【００７５】
１００    コントローラ
１０１    ＣＰＵ
１０２    制御部
１０３    ＲＡＭ
１１１    スキャナ（画像読取手段の一例）
１１２    プロッタ（印刷手段の一例）
１１３    ＨＤＤ（記憶装置の一例）
１１４    操作部
【図１】
2009303035.tif 000003
【図２】
2009303035.tif 000004
【図３】
2009303035.tif 000005
【図４】
2009303035.tif 000006
【図５】
2009303035.tif 000007
【図６】
2009303035.tif 000008
【図７】
2009303035.tif 000009
【図８】
2009303035.tif 000010
【図９】
2009303035.tif 000011